(57)【要約】【課題】ＷＤＭ通信システムにおいても光信号の強度を正確に測定すること。【解決手段】信号情報取得部１０１は、波長多重伝送された光信号に関する情報を取得する。記憶部１０２は、光信号に関する情報に対応した光信号の強度の補正値を記憶している。選択部１０３は、信号情報取得部１０１によって取得された光信号に関する情報に対応した補正値をテーブルから選択する。スペクトル取得部１０４は、光信号の光スペクトルを取得する。測定部１０５は、光スペクトルと選択部１０３によって選択された補正値とに基づいて光信号の強度を算出することによって光信号の強度を測定する。【選択図】図１
2008139073.tif 000002
【特許請求の範囲】
【請求項１】
波長多重伝送された光信号に関する情報を取得する信号情報取得手段と、
前記光信号に関する情報に対応した前記光信号の強度の補正値を記憶した記憶手段と、
前記信号情報取得手段によって取得された前記光信号に関する情報に対応した補正値を前記記憶手段から選択する選択手段と、
前記光信号の光スペクトルを取得するスペクトル取得手段と、
前記光スペクトルと前記選択手段によって選択された補正値とに基づいて前記光信号の強度を算出することによって当該光信号の強度を測定する測定手段と、
を備えることを特徴とする光強度測定装置。
【請求項２】
前記記憶手段は、前記光信号に関する情報に対応した前記光信号の強度の補正値を有するテーブルを備え、
前記スペクトル取得手段の波長分解能が前記光信号の光スペクトル幅よりも広い場合の前記テーブルの補正値はマイナスの値であることを特徴とする請求項１に記載の光強度測定装置。
【請求項３】
前記記憶手段は、前記光信号に関する情報に対応した前記光信号の強度の補正値を有するテーブルを備え、
前記スペクトル取得手段の波長分解能が前記光信号の光スペクトル幅よりも狭い場合の前記テーブルの補正値はプラスの値であることを特徴とする請求項１に記載の光強度測定装置。
【請求項４】
前記スペクトル取得手段は、前記信号情報取得手段が取得した前記光信号に関する情報に応じた波長分解能によって前記光スペクトルを取得することを特徴とする請求項１に記載の光強度測定装置。
【請求項５】
前記信号情報取得手段は、前記光信号に関する情報として、前記光信号と波長が隣接する隣接光信号に関する情報を取得することを特徴とする請求項１〜４のいずれか一つに記載の光強度測定装置。
【請求項６】
前記信号情報取得手段は、前記光信号に関する情報として、前記隣接光信号のビットレートの情報を取得することを特徴とする請求項１〜５のいずれか一つに記載の光強度測定装置。
【請求項７】
前記測定手段が測定した前記光信号の強度の情報に関する情報を、ネットワーク上で前記光信号を増幅する中継装置へ送信し、当該中継装置による前記光信号の増幅量を制御する増幅制御手段をさらに備えることを特徴とする請求項１〜６のいずれか一つに記載の光強度測定装置。
【請求項８】
前記測定手段が測定した前記光信号の強度の情報に関する情報を、前記光信号を送信する送信装置へ送信し、当該送信装置が送信する各チャネルの光信号の強度が均一となるように制御する強度制御手段をさらに備えることを特徴とする請求項１〜７のいずれか一つに記載の光強度測定装置。
【請求項９】
前記測定手段が測定した前記光信号の強度の情報に関する情報を、ネットワーク上で前記光信号を中継するＯＡＤＭ装置へ送信し、当該ＯＡＤＭ装置が送信する各チャネルの光信号の強度が均一となるように制御する第２強度制御手段をさらに備えることを特徴とする請求項１〜８のいずれか一つに記載の光強度測定装置。
【請求項１０】
波長多重伝送された光信号に関する情報を取得する信号情報取得工程と、
前記光信号に関する情報に対応した前記光信号の強度の補正値を有する記憶手段から、前記信号情報取得工程によって取得された前記光信号に関する情報に対応した補正値を選択する選択工程と、
前記光信号の光スペクトルを取得するスペクトル取得工程と、
前記光スペクトルと前記選択工程によって選択された補正値とに基づいて前記光信号の強度を算出することによって当該光信号の強度を測定する測定工程と、
を含むことを特徴とする光強度測定方法。
【発明の詳細な説明】
【技術分野】
【０００１】
この発明は、ＷＤＭ通信システムにおいて光信号の強度を測定する光強度測定装置および光強度測定方法に関する。
【背景技術】
【０００２】
近年の通信トラフィックの増加による基幹通信網の大容量化の要求を満たすため、１波長当たりの伝送速度が１０Ｇｂｐｓの波長分割多重（ＷＤＭ：Ｗａｖｅｌｅｎｇｔｈ  Ｄｉｖｉｓｉｏｎ  Ｍｕｌｔｉｐｌｅｘｉｎｇ）通信システムが商用化されている。しかしながら、依然として通信トラフィックの増加が続いており、伝送速度が４０Ｇｂｐｓの高速通信システムの研究開発が進められている。
【０００３】
このようなＷＤＭ通信システムにおいては、たとえば中継装置による光増幅量の制御のために光信号の強度を測定する必要がある。光信号の強度の測定には、一般的には、光スペクトラムアナライザを用いて周波数領域での強度の測定を行う方法が用いられている（たとえば、下記特許文献１参照。）。
【０００４】
変調された光信号は光スペクトルが広がるため、正確に強度を測定するには光信号の光スペクトル幅に合わせた波長分解能で測定を行う必要がある。また、光信号の光スペクトル幅は通常、高速の光信号であるほど広くなるため、高速の光信号を測定するためには広い波長分解能によって測定を行う必要がある。
【０００５】
【特許文献１】特開２００１−２０３４１４号公報
【発明の開示】
【発明が解決しようとする課題】
【０００６】
しかしながら、上述した従来技術では、たとえば４０Ｇｂｐｓの光信号を１００ＧＨｚ間隔で配置した場合、光信号に対して波長分解能を狭く（たとえば、０．２ｎｍ）すると、被測定ＣＨ（チャネル）の光信号の光スペクトルのすべてがその範囲に含まれず、光信号の強度が小さく評価されてしまうという問題がある。
【０００７】
一方、４０Ｇｂｐｓの光信号に対して波長分解能を広く（たとえば１．０ｎｍ）すると、被測定ＣＨの光信号と隣接ＣＨの光信号との波長間隔（１００ＧＨｚ≒０．８ｎｍ）が波長分解能より狭い場合、被測定ＣＨの光信号の光スペクトルに隣接ＣＨの光信号の成分が含まれてしまい、被測定ＣＨの光信号の強度が大きめに評価されてしまうという問題がある。
【０００８】
また、隣接ＣＨの光信号のビットレートや変調方式によって隣接ＣＨの光信号の光スペクトル幅が変化する。このため、隣接ＣＨの光信号のビットレートや変調方式によって、隣接ＣＨの光信号の成分が被測定ＣＨの光信号に含まれたり含まれなかったりして、被測定ＣＨの光信号の強度を正確に測定できないという問題がある。
【０００９】
また、ＷＤＭ通信システムにおいては受信側の光信号対雑音比（ＯＳＮＲ：Ｏｐｔｉｃａｌ  Ｓｉｇｎａｌ  ｔｏ  Ｎｏｉｓｅ  Ｒａｔｉｏ）を一定にするために送信側の光レベルを調節するプリエンファシス制御を用いるが、正確に光信号強度が測定できなければこのプリエンファシス制御を実施することが困難となるという問題がある。
【００１０】
この発明は、上述した問題点を解消するものであり、ＷＤＭ通信システムにおいても光信号の強度を正確に測定することができる強度測定装置および光強度測定方法を提供することを目的とする。
【課題を解決するための手段】
【００１１】
この発明にかかる光強度測定装置は、波長多重伝送された光信号に関する情報を取得する信号情報取得手段と前記光信号に関する情報に対応した前記光信号の強度の補正値を記憶した記憶手段と、前記信号情報取得手段によって取得された前記光信号に関する情報に対応した補正値を前記記憶手段から選択する選択手段と、前記光信号の光スペクトルを取得するスペクトル取得手段と、前記光スペクトルと前記選択手段によって選択された補正値とに基づいて前記光信号の強度を算出することによって当該光信号の強度を測定する測定手段と、を備えることを特徴とする。
【００１２】
上記構成によれば、スペクトル取得手段によって取得された光信号のスペクトルの強度を記憶手段に記憶されたテーブルの補正値に基づいて補正することで、ＷＤＭ通信システムにおいても光信号の強度を正確に測定することができる。
【発明の効果】
【００１３】
この発明によれば、ＷＤＭ通信システムにおいても光信号の強度を正確に測定することができるという効果を奏する。
【発明を実施するための最良の形態】
【００１４】
以下に添付図面を参照して、この発明にかかる光強度測定装置および光強度測定方法の好適な実施の形態を詳細に説明する。
【００１５】
（実施の形態１）
図１は、実施の形態１にかかる光強度測定装置の構成を示すブロック図である。図１に示すように、実施の形態１にかかる光強度測定装置１００は、信号情報取得部１０１と、記憶部１０２と、選択部１０３と、スペクトル取得部１０４と、測定部１０５と、を備えている。光強度測定装置１００は、ＷＤＭ通信システムにおける光信号の強度を測定する光強度測定装置である。
【００１６】
信号情報取得部１０１は、被測定ＣＨを含む光信号に関する情報を取得する。光信号に関する情報とは、たとえば、ＷＤＭ伝送において被測定ＣＨと波長が隣接する隣接ＣＨの光信号のＯＮ／ＯＦＦ（有無）、変調方式、ビットレートや波長などの情報である。また、光信号に関する情報には、被測定ＣＨの光信号自体の変調方式、ビットレートや波長などの情報を含めてもよい。
【００１７】
信号情報取得部１０１は、たとえば、ネットワークマネジメントシステム（ＮＭＳ：Ｎｅｔｗｏｒｋ  Ｍａｎａｇｅｍｅｎｔ  Ｓｙｓｔｅｍ）から被測定ＣＨの光信号に関する情報を取得する。信号情報取得部１０１は、取得した光信号に関する情報を選択部１０３へ出力する。
【００１８】
記憶部１０２は、光信号に関する情報に対応した補正値のテーブルを記憶している。たとえば、記憶部１０２は、被測定ＣＨの隣接ＣＨの光信号のＯＮ／ＯＦＦ、変調方式、ビットレートや波長などの条件毎の補正値のテーブルを記憶している。また、記憶部１０２は、被測定ＣＨの光信号自体の変調方式、ビットレートや波長などの情報などを含めた条件毎の補正値のテーブルを記憶していてもよい。記憶部１０２は、記憶しているテーブルを選択部１０３へ出力する。
【００１９】
選択部１０３は、信号情報取得部１０１から出力された光信号に関する情報に対応した補正値を、記憶部１０２から出力されたテーブルから選択する。選択部１０３は、選択した補正値を測定部１０５へ出力する。
【００２０】
スペクトル取得部１０４は、被測定ＣＨの光信号の光スペクトルを取得する。実施の形態１においては、スペクトル取得部１０４は、光信号の光スペクトル幅に対して広い幅の波長分解能（ここでは、１．０ｎｍ）によって光スペクトルを取得する。スペクトル取得部１０４は、たとえば光スペクトラムアナライザによって構成される。スペクトル取得部１０４は、取得した光スペクトルを測定部１０５へ出力する。
【００２１】
測定部１０５は、スペクトル取得部１０４から出力された光スペクトルと、選択部１０３から出力された補正値と、に基づいて前記光信号の強度を算出することによって当該光信号の強度を測定する。具体的には、測定部１０５は、スペクトル取得部１０４から出力された光スペクトルから得た光信号の強度を選択部１０３から出力された補正値によって補正する。これによって、測定部１０５は、光スペクトルから得た光信号の強度よりも実際の光信号の強度に近い強度を測定することができる。
【００２２】
図２は、被測定ＣＨおよび隣接ＣＨの光信号が４０Ｇの場合の光スペクトル（波長分解能０．１ｎｍ）を示す図である。図３は、被測定ＣＨおよび隣接ＣＨの光信号が４０Ｇの場合の光スペクトル（波長分解能１．０ｎｍ）を示す図である。図２において、横軸は光信号の相対周波数（Ｏｐｔｉｃａｌ  Ｆｒｅｑｅｎｃｙ  ｒｅｌａｔｉｖｅ  ｔｏ  ｆ  ＴＨｚ［ＧＨｚ］）を、縦軸は光信号の成分強度（Ｐｏｗｅｒ［ｄＢｍ］）を示している（図３〜図１３，図１５〜図２０においても同様）。
【００２３】
ここで、ＣＨ１〜ＣＨ５の光信号は、それぞれ波長が異なり、１００ＧＨｚ間隔で配置された光信号である。光スペクトル２０１〜光スペクトル２０５は、ＣＨ１〜ＣＨ５の光信号の光スペクトルである。ここではＣＨ３の光信号が被測定ＣＨの光信号であるとする。ＣＨ２およびＣＨ４の光信号は被測定ＣＨの隣接ＣＨの光信号である。また、４０Ｇの光信号は、ＲＺ−ＤＱＰＳＫ変調方式によって変調された光信号であるとする。
【００２４】
図２に示すように被測定ＣＨおよび隣接ＣＨの光信号が４０Ｇの場合、光信号の光スペクトル幅に対して波長分解能の幅が０．１ｎｍと狭いため、被測定ＣＨの光信号の光スペクトル２０３には隣接ＣＨの光信号の光スペクトル２０２および２０４の成分が入り込まない。一方、波長分解能０．１ｎｍにＣＨ３の光信号のすべてが含まれないため、光信号の強度は実際の強度よりも低く測定される。
【００２５】
図３において、光スペクトル３０１は、隣接ＣＨが存在しない場合にＣＨ３の光信号を測定した光スペクトルである。光スペクトル３０２は、隣接ＣＨが存在する場合にＣＨ３の光信号を測定した光スペクトルである。光スペクトル３０１は、ＣＨ３の光信号に対して波長分解能が十分に広く（１．０ｎｍ）、隣接ＣＨの光信号の成分も存在しないため理想的な光スペクトル測定結果である。
【００２６】
これに対して、光スペクトル３０２は、ＣＨ３の光信号に対して波長分解能が十分広いため、波長分解能にＣＨ３の光信号のすべてが含まれる。一方、光スペクトル３０２は、ＣＨ２およびＣＨ４の光信号の成分が入り込む。このため、光スペクトル３０２の強度は、理想的な光スペクトル３０１よりも約１．３ｄＢ高く測定される。
【００２７】
図４は、被測定ＣＨおよび隣接ＣＨの一方の光信号が４０Ｇであり隣接ＣＨの他方の光信号がＯＦＦの場合の光スペクトル（波長分解能０．１ｎｍ）を示す図である。図５は、被測定ＣＨおよび隣接ＣＨの一方の光信号が４０Ｇであり隣接ＣＨの他方の光信号がＯＦＦの場合の光スペクトル（波長分解能１．０ｎｍ）を示す図である。
【００２８】
図４および図５において、図２および図３と同様の部分は同一の符号を付して説明を省略する。図４に示すようにＣＨ２の光信号がＯＦＦである場合、図５に示すように、光スペクトル３０２にはＣＨ２の光信号の成分は入り込まない。一方、光スペクトル３０２にはＣＨ４の光信号の成分が入り込む。このため、光スペクトル３０２の強度は、理想的な光スペクトル３０１よりも約０．８ｄＢ高く測定される。
【００２９】
図６は、被測定ＣＨの光信号が４０Ｇであり隣接ＣＨの光信号がＯＦＦの場合の光スペクトル（波長分解能０．１ｎｍ）を示す図である。図７は、被測定ＣＨの光信号が４０Ｇであり隣接ＣＨの光信号がＯＦＦの場合の光スペクトル（波長分解能１．０ｎｍ）を示す図である。
【００３０】
図６および図７において、図２および図３と同様の部分は同一の符号を付して説明を省略する。図６に示すようにＣＨ２およびＣＨ４の光信号がＯＦＦである場合、図７に示すように、光スペクトル３０２にはＣＨ２およびＣＨ４の光信号の成分は入り込まない。このため、光スペクトル３０２の強度は、理想的な光スペクトル３０１と同様に測定される。
【００３１】
図８は、被測定ＣＨおよび隣接ＣＨの一方の光信号が４０Ｇであり隣接ＣＨの他方の光信号が１０Ｇの場合の光スペクトル（波長分解能０．１ｎｍ）を示す図である。図９は、被測定ＣＨの光信号が４０Ｇであり隣接ＣＨの光信号がＯＦＦの場合の光スペクトル（波長分解能１．０ｎｍ）を示す図である。
【００３２】
図８および図９において、図２および図３と同様の部分は同一の符号を付して説明を省略する。ここで、１０Ｇの光信号は、ＮＲＺ変調方式によって変調された光信号であるとする（以下同様）。図８に示すようにＣＨ２の光信号が１０Ｇである場合、図９に示すように、光スペクトル３０２にはＣＨ２およびＣＨ４の光信号の成分が入り込む。このため、光スペクトル３０２の強度は、理想的な光スペクトル３０１よりも約１．２ｄＢ高く測定される。
【００３３】
図１０は、被測定ＣＨの光信号が４０Ｇであり隣接ＣＨの光信号が１０Ｇの場合の光スペクトル（波長分解能０．１ｎｍ）を示す図である。図１１は、被測定ＣＨの光信号が４０Ｇであり隣接ＣＨの光信号が１０Ｇの場合の光スペクトル（波長分解能１．０ｎｍ）を示す図である。
【００３４】
図１０および図１１において、図２および図３と同様の部分は同一の符号を付して説明を省略する。図１０に示すようにＣＨ２およびＣＨ４の光信号が１０Ｇである場合、図１１に示すように、光スペクトル３０２は、ＣＨ２およびＣＨ４の光信号の成分が入り込む。このため、光スペクトル３０２の強度は、理想的な光スペクトル３０１よりも約１．１ｄＢ高く測定される。
【００３５】
図１２は、被測定ＣＨの光信号が１０Ｇであり隣接ＣＨの光信号が４０Ｇの場合の光スペクトル（波長分解能０．１ｎｍ）を示す図である。図１３は、被測定ＣＨの光信号が１０Ｇであり隣接ＣＨの光信号が４０Ｇの場合の光スペクトル（波長分解能１．０ｎｍ）を示す図である。
【００３６】
図１２および図１３において、図２および図３と同様の部分は同一の符号を付して説明を省略する。図１２に示すようにＣＨ３の光信号が１０Ｇである場合、図１３に示すように、光スペクトル３０２は、ＣＨ２およびＣＨ４の光信号の成分が入り込む。このため、光スペクトル３０２の強度は、理想的な光スペクトル３０１よりも約１．３ｄＢ高く測定される。
【００３７】
図１４は、実施の形態１にかかる光強度測定装置の記憶部が記憶しているテーブルを示す図である。図２〜図１３で示した結果から、図１４に示すようなテーブルを作成することができる。ＣＨ２およびＣＨ４の光信号が４０Ｇである場合、補正値は−１．３となる（図２，図３参照）。ＣＨ２およびＣＨ４の一方の光信号が４０Ｇであり他方の光信号がＯＦＦである場合、補正値は−０．８となる（図４，図５参照）。ＣＨ２およびＣＨ４の光信号がＯＦＦである場合、補正値は０となる（図６，図７参照）。
【００３８】
ＣＨ２およびＣＨ４の一方の光信号が４０Ｇであり他方の光信号が１０Ｇである場合、補正値は−１．２となる（図８，図９参照）。ＣＨ２およびＣＨ４の光信号が１０Ｇである場合、補正値は−１．１となる（図１０，図１１参照）。なお、ここでは図示しないが、光強度測定装置１００の記憶部１０２が記憶しているテーブルには、被測定ＣＨであるＣＨ３の条件による補正値を加えてもよい（図１２，図１３参照）。
【００３９】
このように、実施の形態１にかかる光強度測定装置１００によれば、スペクトル取得部１０４は光スペクトル２０３の光スペクトル幅よりも広い波長分解能によって光スペクトル２０３を取得し、選択部１０３は、記憶部１０２に記憶されたテーブルのマイナスの補正値に基づいて補正することができる。このため、ＷＤＭ通信システムにおける光信号の強度を正確に測定することができる。
【００４０】
（実施の形態２）
図１５は、被測定ＣＨおよび隣接ＣＨの光信号が４０Ｇの場合の光スペクトル（波長分解能０．２ｎｍ）を示す図である。図１５において、図２および図３と同様の部分は同一の符号を付して説明を省略する（図１６〜図２０についても同様）。実施の形態２においては、スペクトル取得部１０４は、光信号の光スペクトル幅に対して狭い幅の波長分解能（ここでは、０．２ｎｍ）によって光スペクトルを取得する。
【００４１】
図２に示すようにＣＨ２およびＣＨ４の光信号が４０Ｇである場合、図１５に示すように、被測定ＣＨであるＣＨ３の光信号の光スペクトル２０３にはＣＨ２およびＣＨ４の光信号の成分は入り込まない。一方、波長分解能０．２ｎｍにＣＨ３の光信号のすべてが含まれない。このため、光スペクトル２０３の強度は、理想的な光スペクトル３０１よりも約１．８ｄＢ低く測定される。
【００４２】
図１６は、被測定ＣＨおよび隣接ＣＨの一方の光信号が４０Ｇであり隣接ＣＨの他方の光信号がＯＦＦの場合の光スペクトル（波長分解能０．２ｎｍ）を示す図である。図４に示すようにＣＨ２の光信号がＯＦＦである場合、図１６に示すように、被測定ＣＨであるＣＨ３の光信号の光スペクトル２０３にはＣＨ２およびＣＨ４の光信号の成分は入り込まない。一方、波長分解能０．２ｎｍにＣＨ３の光信号のすべてが含まれない。このため、光スペクトル２０３の強度は、理想的な光スペクトル３０１よりも約１．８ｄＢ低く測定される。
【００４３】
図１７は、被測定ＣＨの光信号が４０Ｇであり隣接ＣＨの光信号がＯＦＦの場合の光スペクトル（波長分解能０．２ｎｍ）を示す図である。図６に示すようにＣＨ２およびＣＨ４の光信号がＯＦＦである場合、図１７に示すように、被測定ＣＨであるＣＨ３の光信号の光スペクトル２０３にはＣＨ２およびＣＨ４の光信号の成分は入り込まない。一方、波長分解能０．２ｎｍにＣＨ３の光信号のすべてが含まれない。このため、光スペクトル２０３の強度は、理想的な光スペクトル３０１よりも約１．８ｄＢ低く測定される。
【００４４】
図１８は、被測定ＣＨおよび隣接ＣＨの一方の光信号が４０Ｇであり隣接ＣＨの他方の光信号が１０Ｇの場合の光スペクトル（波長分解能０．２ｎｍ）を示す図である。図８に示すようにＣＨ２の光信号が１０Ｇである場合、図１８に示すように、被測定ＣＨであるＣＨ３の光信号の光スペクトル２０３にはＣＨ２およびＣＨ４の光信号の成分は入り込まないが、波長分解能０．２ｎｍにＣＨ３の光信号のすべてが含まれない。このため、光スペクトル２０３の強度は、理想的な光スペクトル３０１よりも約１．８ｄＢ低く測定される。
【００４５】
図１９は、被測定ＣＨの光信号が４０Ｇであり隣接ＣＨの光信号が１０Ｇの場合の光スペクトル（波長分解能０．２ｎｍ）を示す図である。図１０に示すようにＣＨ２およびＣＨ４の光信号が１０Ｇである場合、図１９に示すように、被測定ＣＨであるＣＨ３の光信号の光スペクトル２０３にはＣＨ２およびＣＨ４の光信号の成分は入り込まない。一方、波長分解能０．２ｎｍにＣＨ３の光信号のすべてが含まれない。このため、光スペクトル２０３の強度は、理想的な光スペクトル３０１よりも約１．８ｄＢ低く測定される。
【００４６】
図２０は、被測定ＣＨの光信号が１０Ｇであり隣接ＣＨの光信号が４０Ｇの場合の光スペクトル（波長分解能０．２ｎｍ）を示す図である。図１２に示すようにＣＨ３の光信号が１０Ｇである場合、図２０に示すように、光スペクトル２０３にはＣＨ２およびＣＨ４の光信号の成分は入り込まない。一方、０．２ｎｍの波長分解能にＣＨ３の光信号がすべて含まれる。このため、光スペクトル２０３の強度は、理想的な光スペクトル３０１と同様に測定される。
【００４７】
このように、スペクトル取得部１０４が０．２ｎｍの波長分解能で光スペクトルを取得すると、被測定ＣＨであるＣＨ３が４０Ｇの場合、光スペクトル２０３の強度は、理想的な光スペクトル３０１よりも常に１．８ｄＢ低く測定され、補正値は常に＋１．８ｄＢとなる。一方、ＣＨ３が１０Ｇの場合には常に光スペクトル２０３の強度が理想的な光スペクトル３０１と同様に測定されるため補正値は０ｄＢとなる。
【００４８】
このように、実施の形態２にかかる光強度測定装置１００によれば、スペクトル取得部１０４は光スペクトル２０３の光スペクトル幅よりも狭い波長分解能によって光スペクトル２０３を取得し、選択部１０３は、記憶部１０２に記憶されたテーブルのプラスの補正値に基づいて補正することができる。このため、ＷＤＭ通信システムにおける光信号の強度を正確に測定することができる。
【００４９】
なお、実施の形態１および実施の形態２にかかる光強度測定装置１００のスペクトル取得部１０４は、光信号に関する情報に応じた波長分解能によって光信号の光スペクトルを取得してもよい。たとえば、スペクトル取得部１０４は、信号情報取得部１０１から光信号に関する情報を取得し、被測定ＣＨのビットレートが４０Ｇｂｐｓの場合は分解能を１．０ｎｍとする（図３参照）。また、スペクトル取得部１０４は、被測定ＣＨのビットレートが１０Ｇｂｐｓの場合は分解能を０．２ｎｍ、とする（図２０参照）。
【００５０】
また、実施の形態１および実施の形態２において、光信号のビットレートおよび変調方式の一例として、ＲＺ−ＤＱＰＳＫ変調方式によって変調された４０Ｇの光信号と、ＮＲＺ変調方式によって変調された１０Ｇの光信号と、について説明したが、光信号のビットレートおよび変調方式はこれに限られない。
【００５１】
（実施の形態３）
図２１は、実施の形態３にかかる光強度測定装置を適用した通信システムの構成を示すブロック図である。図２１に示すように、実施の形態３にかかる通信システム２１００は、送信装置２１１０と、中継装置２１２１〜中継装置２１２４と、受信装置２１３０と、ＮＭＳ２１４０と、光強度測定装置１００と、から構成されるＷＤＭ通信システムである。
【００５２】
送信装置２１１０は、送信器２１１１ａ〜送信器２１１１ｄと、光可変減衰器２１１２ａ〜光可変減衰器２１１２ｄと、多重部２１１３と、を備えている。送信器２１１１ａ〜送信器２１１１ｄは、それぞれ異なる波長の光信号をそれぞれ光可変減衰器２１１２ａ〜光可変減衰器２１１２ｄへ出力する。
【００５３】
光可変減衰器（ＶＯＡ：Ｖａｒｉａｂｌｅ  Ｏｐｔｉｃａｌ  Ａｔｔｅｎｕａｔｏｒ）２１１２ａ〜光可変減衰器２１１２ｄは、送信器２１１１ａ〜送信器２１１１ｄから出力されたそれぞれの光信号を可変な減衰量だけ減衰させ、多重化部２１１３へ出力する。多重化部２１１３は、光可変減衰器２１１２ａ〜光可変減衰器２１１２ｄから出力されたそれぞれの光信号を多重化し、多重化した光信号を受信装置２１３０へ送信する。
【００５４】
中継装置２１２１〜中継装置２１２４は、送信装置２１１０から受信装置２１３０へ送信される光信号を中継する。中継装置２１２１〜中継装置２１２４は、たとえば光アンプによって構成されている。光アンプによって構成された中継装置２１２１〜中継装置２１２４は、中継する光信号を適宜増幅する。
【００５５】
受信装置２１３０は、多重分離部２１３１と、受信器２１３２ａ〜受信器２１３２ｄと、から構成されている。多重分離部２１３１は、送信装置２１１０から中継装置２１２１〜中継装置２１２４を介して受信した光信号を、それぞれ波長の異なる複数の光信号に多重分離し、多重分離したそれぞれの光信号を受信器２１３２ａ〜受信器２１３２ｄへ出力する。受信器２１３２ａ〜受信器２１３２ｄは、多重分離部２１３１から出力されたそれぞれの光信号を受信する。
【００５６】
ＮＭＳ２１４０は、通信システム２１００における通信の監視および制御を行う。たとえば、ＮＭＳ２１４０は、通信システム２１００におけるＷＤＭ伝送の各光信号を監視し、上述した光信号に関する情報を光強度測定装置１００へ送信する。また、ＮＭＳ２１４０は、通信システム２１００におけるＷＤＭ伝送の各光信号を制御し、上述した光信号に関する情報を光強度測定装置１００へ送信する。
【００５７】
本発明にかかる光強度測定装置１００のスペクトル取得部１０４は、受信装置２１３０が受信する光信号を光カプラ２１５０によって分岐して受信し、受信した光信号の光スペクトルを取得する。光強度測定装置１００の信号情報取得部１０１は、ＮＭＳ２１４０から送信される光信号に関する情報を受信する。これによって、光強度測定装置１００は、ＷＤＭ通信システムにおいても受信装置２１３０が受信する光信号の強度を測定することができる。
【００５８】
図２２は、実施の形態３にかかる光強度測定装置の動作を示すフローチャートである。図２２に示すように、実施の形態３にかかる光強度測定装置１００は、まず、信号情報取得部１０１が、ＷＤＭ伝送された光信号に関する情報をＮＭＳ２１４０から取得する（ステップＳ２２０１）。つぎに、選択部１０３が、ステップＳ２２０１によって取得した光信号に関する情報に対応した補正値を、記憶部１０２に記憶されたテーブルから選択する（ステップＳ２２０２）。
【００５９】
つぎに、スペクトル取得部１０４が、光カプラ２１５０によって分岐した光信号の光スペクトルを取得する（ステップＳ２２０３）。つぎに、測定部１０５が、ステップＳ２２０３によって取得された光信号の光スペクトルと、ステップＳ２２０２によって選択された補正値と、に基づいて光信号の強度を算出することで光信号の強度を測定し（ステップＳ２２０４）、一連の処理を終了する。
【００６０】
このように、実施の形態３にかかる光強度測定装置１００を適用した通信システム２１００によれば、信号情報取得部１０１がＮＭＳ２１４０から光信号に関する情報を取得し、選択部１０３はこの光信号に関する情報に基づいて補正値を選択することができる。このため、ＷＤＭ通信システムにおいても光信号の強度を正確に測定することができる。
【００６１】
なお、光強度測定装置１００の動作の順序は上述したものに限られない。たとえば、光強度測定装置１００は、まず光信号の光スペクトルを取得し（上述したステップＳ２２０３）、つぎに光信号に関する情報を取得し（上述したステップＳ２２０１）、つぎに補正値を選択し、（上述したステップＳ２２０２）、つぎに光信号の強度を測定（上述したステップＳ２２０４）してもよい。
【００６２】
（実施の形態４）
図２３は、実施の形態４にかかる光強度測定装置を適用した通信システムの構成を示すブロック図である。図２３において、図２１と同様の構成については同一の符号を付して説明を省略する。図２３に示すように、実施の形態４にかかる光強度測定装置１００は、実施の形態１〜３の構成に加えて光アンプ制御部２３１０を備える。測定部１０５は、測定した光信号の強度の情報を光アンプ制御部２３１０へ出力する。
【００６３】
光アンプ制御部２３１０は、測定部１０５から出力された光信号の強度の情報に関する情報を中継装置２１２１〜中継装置２１２４へ送信する。これにより、光アンプ制御部２３１０は、中継装置２１２１〜中継装置２１２４を構成する光アンプによる光信号の増幅量を制御する。光信号の強度の情報に関する情報とは、光信号の強度の情報そのものであってもよいし、光信号の強度の情報から算出した中継装置２１２１〜中継装置２１２４における光アンプの制御情報であってもよい。
【００６４】
このように、実施の形態４にかかる光強度測定装置１００を適用した通信システム２１００によれば、測定部１０５が正確に測定した光信号の強度に基づいて光アンプ制御部２３１０が中継装置２１２１〜中継装置２１２４による光信号の増幅量を制御することができる。このため、ＷＤＭ通信システムにおいても中継装置２１２１〜中継装置２１２４による光信号の増幅量の制御を正確に行うことができる。
【００６５】
（実施の形態５）
図２４は、実施の形態５にかかる光強度測定装置を適用した通信システムの構成を示すブロック図である。図２４において、図２１と同様の構成については同一の符号を付して説明を省略する。図２４に示すように、実施の形態５にかかる光強度測定装置１００は、実施の形態１〜３の構成に加えて信号強度制御部２４１０を備える。測定部１０５は、測定した光信号の強度の情報を信号強度制御部２４１０へ出力する。
【００６６】
信号強度制御部２４１０は、測定部１０５から出力された光信号の強度の情報に関する情報を送信装置２１１０へ送信する。これにより、信号強度制御部２４１０は、送信装置２１１０が送信する光信号の強度を制御する。光信号の強度の情報に関する情報とは、光信号の強度の情報そのものであってもよいし、光信号の強度の情報から算出した送信装置２１１０における光可変減衰器２１１２ａ〜光可変減衰器２１１２ｄの制御情報であってもよい。
【００６７】
送信装置２１１０は、信号強度制御部２４１０から送信された光信号の強度の情報に関する情報に基づいて、光可変減衰器２１１２ａ〜光可変減衰器２１１２ｄによる光信号の減衰量を制御し、送信器２１１１ａ〜送信器２１１１ｄから出力される光信号の強度を均一化する。または受信器２１３２ａ〜受信器２１３２ｄへ入力される光信号の強度を均一化する。また、光雑音レベルを別途実測や計算により求めることによりＯＳＮＲを均一化する（プリエンファシス）。
【００６８】
このように、実施の形態５にかかる光強度測定装置１００を適用した通信システム２１００によれば、測定部１０５が正確に測定した光信号の強度に基づいて信号強度制御部２４１０が送信装置２１１０の光可変減衰器２１１２ａ〜２１１２ｄを制御することができる。このため、ＷＤＭ通信システムにおいても送信装置２１１０の送信器２１１１ａ〜送信器２１１１ｄから出力される光信号の強度を正確に均一化することができる。または受信装置２１３０の受信器２１３２ａ〜受信器２１３２ｄへ入力される光信号の強度を均一化することができる。また、光雑音レベルを別途実測や計算により求めることによりＯＳＮＲを均一化することができる。
【００６９】
（実施の形態６）
図２５は、実施の形態６にかかる光強度測定装置を適用した通信システムの構成を示すブロック図である。図２５において、図２１と同様の構成については同一の符号を付して説明を省略する。図２５に示すように、実施の形態６にかかる光強度測定装置１００を適用した通信システム２１００には、中継装置としてＯＡＤＭ（Ｏｐｔｉｃａｌ  Ａｄｄ  Ｄｒｏｐ  Ｍｕｌｔｉｐｌｅｘｅｒ）装置２５１０が用いられている。ここでは、ＯＡＤＭ装置２５１０は複数設けられている。
【００７０】
ＯＡＤＭ装置２５１０は、送信装置２１１０から受信装置２１３０へ送信される光信号に他の伝送路からの光信号を加えたり（Ａｄｄ）、送信装置２１１０から受信装置２１３０へ送信される光信号のうち一部のＣＨの光信号を抜き出して（Ｄｒｏｐ）他の伝送路へ送信したりする。実施の形態６にかかる光強度測定装置１００は、実施の形態５にかかる光強度測定装置１００と同様に信号強度制御部２４１０を備える。
【００７１】
測定部１０５は、測定した光信号の強度の情報を信号強度制御部２４１０へ出力する。信号強度制御部２４１０は、測定部１０５から出力された光信号の強度の情報に関する情報をＯＡＤＭ装置２５１０へ送信する。これにより、信号強度制御部２４１０は、ＯＡＤＭ装置２５１０が送信する光信号の強度を制御する。
【００７２】
光信号の強度の情報に関する情報とは、光信号の強度の情報そのものであってもよいし、光信号の強度の情報から算出した送信装置２１１０における強度の制御情報であってもよい。ＯＡＤＭ装置２５１０は、信号強度制御部２４１０から送信された光信号の強度の情報に関する情報に基づいて、Ａｄｄ、ＴｈｒｏｕｇｈおよびＤｒｏｐを行った結果ＯＡＤＭ装置２５１０から送信する各ＣＨの光信号の強度もしくはＯＳＮＲを均一化する。または受信器２１３２ａ〜受信器２１３２ｄへ入力される光信号の強度もしくはＯＳＮＲを均一化する（プリエンファシス）。
【００７３】
図２６は、図２５におけるＯＡＤＭ装置の具体的な構成例を示すブロック図である。図２６に示すように、ＯＡＤＭ装置２５１０は、多重分離部２６１０と、複数の光可変減衰器２６２０と、多重化部２６３０と、を備えている。多重分離部２６１０は、送信装置２１１０から送信された光信号を多重分離し、多重分離した各ＣＨの光信号を光可変減衰器２６２０へ出力し（Ｔｈｒｏｈｇｈ）、または抜き出して（Ｄｒｏｐ）他の伝送路へ送信する。
【００７４】
光可変減衰器２６２０は、多重分離部２６１０から出力された光信号を多重化部２６３０へ出力する（Ｔｈｒｏｈｇｈ）。また、光可変減衰器２６２０は、他の伝送路から送信された光信号を、多重分離部２６１０から出力された光信号に加えて（Ａｄｄ）多重化部へ出力する。
【００７５】
多重化部２６３０は、それぞれの光可変減衰器２６２０から出力された光信号を多重化して受信装置２１３０へ送信する。ＯＡＤＭ装置２５１０は、光強度測定装置１００から送信された光信号の強度に関する情報に基づいて、それぞれの光可変減衰器２６２０による光信号の減衰量を制御し、ＯＡＤＭ装置２５１０から送信する各ＣＨの光信号の強度もしくはＯＳＮＲを均一化する。または受信器２１３２ａ〜受信器２１３２ｄへ入力される光信号の強度もしくはＯＳＮＲを均一化する（プリエンファシス）。
【００７６】
図２７は、図２５におけるＯＡＤＭ装置の具体的な他の構成例を示すブロック図である。図２７に示すように、ＯＡＤＭ装置２５１０は、多重分離部２７１０と、光カプラ２７２１〜光カプラ２７２３と、光スイッチ２７３１〜光スイッチ２７３３と、光可変減衰器２７４１〜光可変減衰器２７４３と、多重化部２７５０と、を備えていてもよい。この場合のＯＡＤＭ装置２５１０は、ＡｄｄポートとＤｒｏｐポートとを切換可能なＲｅｃｏｎｆｉｇｕｒａｂｌｅ  ＯＡＤＭ装置である。
【００７７】
多重分離部２７１０は、送信装置２１１０から送信された光信号を多重分離し、多重分離した各ＣＨの光信号をそれぞれ光カプラ２７２１〜光カプラ２７２３へ出力する。光カプラ２７２１〜光カプラ２７２３は、多重分離部２７１０から出力された各ＣＨの光信号を分岐し、分岐した光信号の一方をそれぞれ光スイッチ２７３１〜光スイッチ２７３３へ出力し、他方を抜き出して他の伝送路へ送信する。光スイッチ２７３１〜光スイッチ２７３３は、それぞれ光カプラ２７２１〜光カプラ２７２３から出力された光信号と、他の伝送路から送信された光信号と、を入力する。
【００７８】
光スイッチ２７３１〜光スイッチ２７３３は、光カプラ２７２１〜光カプラ２７２３から出力される光信号と、他の伝送路から送信された光信号と、のいずれかをそれぞれ光可変減衰器２７４１〜光可変減衰器２７４３へ出力する。光スイッチ２７３１〜光スイッチ２７３３が光カプラ２７２１〜光カプラ２７２３から出力された光信号を出力した場合、送信装置２１１０から送信された光信号はＴｈｒｏｕｇｈされて受信装置２１３０へ送信される。
【００７９】
光スイッチ２７３１〜光スイッチ２７３３が他の伝送路から送信された光信号を出力した場合、送信装置２１１０から送信された光信号はＤｒｏｐされ、他の伝送路から送信された光信号がＡｄｄされて受信装置２１３０へ送信される。光可変減衰器２７４１〜光可変減衰器２７４３は、それぞれ光スイッチ２７３１〜光スイッチ２７３３から出力された光信号を多重化部２７５０へ出力する。
【００８０】
多重化部２７５０は、光可変減衰器２７４１〜光可変減衰器２７４３から出力された光信号を多重化し、多重化した光信号を受信装置２１３０へ送信する。ＯＡＤＭ装置２５１０は、光強度測定装置１００から送信された光信号の強度に関する情報に基づいてそれぞれの光可変減衰器２７４１〜光可変減衰器２７４３による光信号の減衰量を制御し、ＯＡＤＭ装置２５１０から送信する各ＣＨの光信号の強度もしくはＯＳＮＲを均一化する。または受信器２１３２ａ〜受信器２１３２ｄへ入力される光信号の強度もしくはＯＳＮＲを均一化する（プリエンファシス）。
【００８１】
このように、実施の形態６にかかる光強度測定装置１００を適用した通信システム２１００によれば、測定部１０５が正確に測定した光信号の強度に基づいて信号強度制御部２４１０がＯＡＤＭ装置２５１０を制御することができる。このため、ＷＤＭ通信システムにおいてもＯＡＤＭ装置２５１０から出力される光信号の強度を正確に均一化することができる。
【００８２】
（実施の形態７）
図２８は、実施の形態７にかかる光強度測定装置を適用した通信システムの構成を示すブロック図である。図２８において、図２１と同様の構成については同一の符号を付して説明を省略する。図２８に示すように、実施の形態７にかかる光強度測定装置１００を適用した通信システム２１００には、中継装置としてＤＯＡＤＭ（Ｄｙｎａｍｉｃ  ＯＡＤＭ）装置２８１０が用いられている。ＤＯＡＤＭ装置２８１０は、波長によってＡｄｄとＤｒｏｐとを切換可能なＯＡＤＭ装置である。
【００８３】
ＤＯＡＤＭ装置２８１０は、実施の形態６にかかるＯＡＤＭ装置２５１０と同様に、送信装置２１１０から受信装置２１３０へ送信される光信号に他の伝送路からの光信号を加えたり（Ａｄｄ）、送信装置２１１０から受信装置２１３０へ送信される光信号のうち一部のＣＨの光信号を抜き出して（Ｄｒｏｐ）他の伝送路へ送信したりする。実施の形態７にかかる光強度測定装置１００は、実施の形態５にかかる光強度測定装置１００と同様に信号強度制御部２４１０を備える。
【００８４】
測定部１０５は、測定した光信号の強度の情報を信号強度制御部２４１０へ出力する。信号強度制御部２４１０は、測定部１０５から出力された光信号の強度の情報に関する情報をＤＯＡＤＭ装置２８１０へ送信する。これにより、信号強度制御部２４１０は、ＤＯＡＤＭ装置２８１０が送信する光信号の強度を制御する。
【００８５】
ＤＯＡＤＭ装置２８１０は、光カプラ２８１１と、波長選択スイッチ（ＷＳＳ：Ｗａｖｅｌｅｎｇｔｈ  Ｓｅｌｅｃｔａｂｌｅ  Ｓｗｉｔｃｈ）２８１２と、ＷＳＳ２８１３と、を備えている。光カプラ２８１１は、送信装置２１１０から送信された光信号を分岐し、分岐した光信号の一方をＷＳＳ２８１２へ出力し、他方をＷＳＳ２８１３へ出力する。ＷＳＳ２８１２は、光カプラ２８１１から出力された光信号のうち、所定の波長の光信号のみを抜き出して（Ｄｒｏｐ）他の伝送路へ送信する。
【００８６】
ＷＳＳ２８１３は、光カプラ２８１１から出力された光信号のうち、所定の波長の光信号のみを受信装置２１３０へ送信する（Ｔｈｒｏｕｇｈ）。また、ＷＳＳ２８１３は、他の伝送路から送信された光信号のうち所定の波長の光信号のみを、光カプラ２８１１から出力された光信号に加えて（Ａｄｄ）受信装置２１３０へ送信する。
【００８７】
ＷＳＳ２８１２およびＷＳＳ２８１３は、出力する光信号の強度を制御する機能を有している。ＤＯＡＤＭ装置２８１０は、信号強度制御部２４１０から送信された光信号の強度の情報に関する情報に基づいてＷＳＳ２８１２およびＷＳＳ２８１３を制御し、Ａｄｄ、ＴｈｒｏｕｇｈおよびＤｒｏｐを行った結果ＯＡＤＭ装置２５１０から送信する光信号の強度もしくはＯＳＮＲを均一化するまたは受信器２１３２ａ〜受信器２１３２ｄへ入力される光信号の強度もしくはＯＳＮＲを均一化する（プリエンファシス）。
【００８８】
このように、実施の形態７にかかる光強度測定装置１００を適用した通信システム２１００によれば、測定部１０５が正確に測定した光信号の強度に基づいて信号強度制御部２４１０がＤＯＡＤＭ装置２８１０を制御することができる。このため、ＷＤＭ通信システムにおいてもＤＯＡＤＭ装置２８１０から出力される光信号の強度を正確に均一化することができる。
【００８９】
以上説明したように、この発明にかかる光強度測定装置および光強度測定方法によれば、ＷＤＭ通信システムにおいても光信号の強度を正確に測定することができる。特に、光信号のビットレートが高速であったりＣＨ毎の波長間隔が小さかったりして被測定ＣＨの光信号のスペクトルに隣接ＣＨの光信号の成分が入り込む場合でも、対応する補正値をテーブルに記憶しておくことで被測定ＣＨの光信号の強度を正確に測定することができる。
【００９０】
また、ＷＤＭ通信システムにおいても中継装置による光信号の増幅量の制御を正確に行うことができる。また、ＷＤＭ通信システムにおいても送信装置から出力される光信号の強度を正確に均一化することができる。また、ＷＤＭ通信システムにおいてもＯＡＤＭ装置から出力される光信号の強度を正確に均一化することができる。また、ＷＤＭ通信システムにおいてもＤＯＡＤＭ装置から出力される光信号の強度を正確に均一化することができる。
【００９１】
なお、上述した各実施の形態においては、信号情報取得部１０１は、ＮＭＳから光信号に関する情報を取得する構成としたが、信号情報取得部１０１は、スペクトル取得部１０４から光スペクトルの情報を取得し、光信号に関する情報を推測してもよい。これによって、光強度測定装置１００は、ＮＭＳから光信号に関する情報を受信しなくても光信号の強度を正確に測定することができる。
【００９２】
（付記１）波長多重伝送された光信号に関する情報を取得する信号情報取得手段と、
前記光信号の光スペクトルを取得するスペクトル取得手段と、
前記光スペクトルと前記信号情報取得手段によって取得された光信号に関する情報とに基づいて前記光信号の強度を測定する測定手段と、
を備えることを特徴とする光強度測定装置。
【００９３】
（付記２）波長多重伝送された光信号に関する情報を取得する信号情報取得手段と、
前記光信号に関する情報に対応した前記光信号の強度の補正値を記憶した記憶手段と、
前記信号情報取得手段によって取得された前記光信号に関する情報に対応した補正値を前記記憶手段から選択する選択手段と、
前記光信号の光スペクトルを取得するスペクトル取得手段と、
前記光スペクトルと前記選択手段によって選択された補正値とに基づいて前記光信号の強度を算出することによって当該光信号の強度を測定する測定手段と、
を備えることを特徴とする光強度測定装置。
【００９４】
（付記３）前記記憶手段は、前記光信号に関する情報に対応した前記光信号の強度の補正値を有するテーブルを備え、
前記スペクトル取得手段の波長分解能が前記光信号の光スペクトル幅よりも広い場合の前記テーブルの補正値はマイナスの値であることを特徴とする付記２に記載の光強度測定装置。
【００９５】
（付記４）前記記憶手段は、前記光信号に関する情報に対応した前記光信号の強度の補正値を有するテーブルを備え、
前記スペクトル取得手段の波長分解能が前記光信号の光スペクトル幅よりも狭い場合の前記テーブルの補正値はプラスの値であることを特徴とする付記２に記載の光強度測定装置。
【００９６】
（付記５）前記スペクトル取得手段は、前記信号情報取得手段が取得した前記光信号に関する情報に応じた波長分解能によって前記光スペクトルを取得することを特徴とする付記２に記載の光強度測定装置。
【００９７】
（付記６）前記信号情報取得手段は、前記光信号に関する情報として、前記光信号と波長が隣接する隣接光信号に関する情報を取得することを特徴とする付記２〜５のいずれか一つに記載の光強度測定装置。
【００９８】
（付記７）前記信号情報取得手段は、前記光信号に関する情報として、前記隣接光信号の有無の情報を取得することを特徴とする付記２〜６のいずれか一つに記載の光強度測定装置。
【００９９】
（付記８）前記信号情報取得手段は、前記光信号に関する情報として、前記隣接光信号のビットレートの情報を取得することを特徴とする付記２〜７のいずれか一つに記載の光強度測定装置。
【０１００】
（付記９）前記信号情報取得手段は、前記光信号に関する情報として、前記隣接光信号の変調方式の情報を取得することを特徴とする付記２〜８のいずれか一つに記載の光強度測定装置。
【０１０１】
（付記１０）前記信号情報取得手段は、前記光信号に関する情報をＮＭＳから取得することを特徴とする付記２〜９のいずれか一つに記載の光強度測定装置。
【０１０２】
（付記１１）前記測定手段が測定した前記光信号の強度の情報に関する情報を、ネットワーク上で前記光信号を増幅する中継装置へ送信し、当該中継装置による前記光信号の増幅量を制御する増幅制御手段をさらに備えることを特徴とする付記２〜１０のいずれか一つに記載の光強度測定装置。
【０１０３】
（付記１２）前記測定手段が測定した前記光信号の強度の情報に関する情報を、前記光信号を送信する送信装置へ送信し、当該送信装置が送信する各チャネルの光信号の強度が均一となるように制御する強度制御手段をさらに備えることを特徴とする付記２〜１１のいずれか一つに記載の光強度測定装置。
【０１０４】
（付記１３）前記測定手段が測定した前記光信号の強度の情報に関する情報を、ネットワーク上で前記光信号を中継するＯＡＤＭ装置へ送信し、当該ＯＡＤＭ装置が送信する各チャネルの光信号の強度が均一となるように制御する第２強度制御手段をさらに備えることを特徴とする付記２〜１２のいずれか一つに記載の光強度測定装置。
【０１０５】
（付記１４）波長多重伝送された光信号に関する情報を取得する信号情報取得工程と、
前記光信号に関する情報に対応した前記光信号の強度の補正値を有する記憶手段から、前記信号情報取得工程によって取得された前記光信号に関する情報に対応した補正値を選択する選択工程と、
前記光信号の光スペクトルを取得するスペクトル取得工程と、
前記光スペクトルと前記選択工程によって選択された補正値とに基づいて前記光信号の強度を算出することによって当該光信号の強度を測定する測定工程と、
を含むことを特徴とする光強度測定方法。
【０１０６】
（付記１５）前記スペクトル取得工程における波長分解能が前記光信号の光スペクトル幅よりも広い場合の前記テーブルの補正値はマイナスの値であることを特徴とする付記１４に記載の光強度測定方法。
【０１０７】
（付記１６）前記スペクトル取得工程における波長分解能が前記光信号の光スペクトル幅よりも狭い場合の前記テーブルの補正値はプラスの値であることを特徴とする付記１４に記載の光強度測定方法。
【０１０８】
（付記１７）前記スペクトル取得工程では、前記信号情報取得工程によって取得された前記光信号に関する情報に応じた波長分解能によって前記光スペクトルを取得することを特徴とする付記１４に記載の光強度測定方法。
【産業上の利用可能性】
【０１０９】
以上のように、この発明にかかる光強度測定装置および光強度測定方法は、ＷＤＭ通信システムにおける光信号の強度の測定に有用であり、特に、高速な伝送を行う場合に適している。
【図面の簡単な説明】
【０１１０】
【図１】実施の形態１にかかる光強度測定装置の構成を示すブロック図である。
【図２】被測定ＣＨおよび隣接ＣＨの光信号が４０Ｇの場合の光スペクトル（波長分解能０．１ｎｍ）を示す図である。
【図３】被測定ＣＨおよび隣接ＣＨの光信号が４０Ｇの場合の光スペクトル（波長分解能１．０ｎｍ）を示す図である。
【図４】被測定ＣＨおよび隣接ＣＨの一方の光信号が４０Ｇであり隣接ＣＨの他方の光信号がＯＦＦの場合の光スペクトル（波長分解能０．１ｎｍ）を示す図である。
【図５】被測定ＣＨおよび隣接ＣＨの一方の光信号が４０Ｇであり隣接ＣＨの他方の光信号がＯＦＦの場合の光スペクトル（波長分解能１．０ｎｍ）を示す図である。
【図６】被測定ＣＨの光信号が４０Ｇであり隣接ＣＨの光信号がＯＦＦの場合の光スペクトル（波長分解能０．１ｎｍ）を示す図である。
【図７】被測定ＣＨの光信号が４０Ｇであり隣接ＣＨの光信号がＯＦＦの場合の光スペクトル（波長分解能１．０ｎｍ）を示す図である。
【図８】被測定ＣＨおよび隣接ＣＨの一方の光信号が４０Ｇであり隣接ＣＨの他方の光信号が１０Ｇの場合の光スペクトル（波長分解能０．１ｎｍ）を示す図である。
【図９】被測定ＣＨの光信号が４０Ｇであり隣接ＣＨの光信号がＯＦＦの場合の光スペクトル（波長分解能１．０ｎｍ）を示す図である。
【図１０】被測定ＣＨの光信号が４０Ｇであり隣接ＣＨの光信号が１０Ｇの場合の光スペクトル（波長分解能０．１ｎｍ）を示す図である。
【図１１】被測定ＣＨの光信号が４０Ｇであり隣接ＣＨの光信号が１０Ｇの場合の光スペクトル（波長分解能１．０ｎｍ）を示す図である。
【図１２】被測定ＣＨの光信号が１０Ｇであり隣接ＣＨの光信号が４０Ｇの場合の光スペクトル（波長分解能０．１ｎｍ）を示す図である。
【図１３】被測定ＣＨの光信号が１０Ｇであり隣接ＣＨの光信号が４０Ｇの場合の光スペクトル（波長分解能１．０ｎｍ）を示す図である。
【図１４】実施の形態１にかかる光強度測定装置の記憶部が記憶しているテーブルを示す図である。
【図１５】被測定ＣＨおよび隣接ＣＨの光信号が４０Ｇの場合の光スペクトル（波長分解能０．２ｎｍ）を示す図である。
【図１６】被測定ＣＨおよび隣接ＣＨの一方の光信号が４０Ｇであり隣接ＣＨの他方の光信号がＯＦＦの場合の光スペクトル（波長分解能０．２ｎｍ）を示す図である。
【図１７】被測定ＣＨの光信号が４０Ｇであり隣接ＣＨの光信号がＯＦＦの場合の光スペクトル（波長分解能０．２ｎｍ）を示す図である。
【図１８】被測定ＣＨおよび隣接ＣＨの一方の光信号が４０Ｇであり隣接ＣＨの他方の光信号が１０Ｇの場合の光スペクトル（波長分解能０．２ｎｍ）を示す図である。
【図１９】被測定ＣＨの光信号が４０Ｇであり隣接ＣＨの光信号が１０Ｇの場合の光スペクトル（波長分解能０．２ｎｍ）を示す図である。
【図２０】被測定ＣＨの光信号が１０Ｇであり隣接ＣＨの光信号が４０Ｇの場合の光スペクトル（波長分解能０．２ｎｍ）を示す図である。
【図２１】実施の形態３にかかる光強度測定装置を適用した通信システムの構成を示すブロック図である。
【図２２】実施の形態３にかかる光強度測定装置の動作を示すフローチャートである。
【図２３】実施の形態４にかかる光強度測定装置を適用した通信システムの構成を示すブロック図である。
【図２４】実施の形態５にかかる光強度測定装置を適用した通信システムの構成を示すブロック図である。
【図２５】実施の形態６にかかる光強度測定装置を適用した通信システムの構成を示すブロック図である。
【図２６】図２５におけるＯＡＤＭ装置の具体的な構成例を示すブロック図である。
【図２７】図２５におけるＯＡＤＭ装置の具体的な他の構成例を示すブロック図である。
【図２８】実施の形態７にかかる光強度測定装置を適用した通信システムの構成を示すブロック図である。
【符号の説明】
【０１１１】
１００  光強度測定装置
１０１  信号情報取得部
１０２  記憶部
１０３  選択部
１０４  スペクトル取得部
１０５  測定部
２０１，２０２，２０３，２０４，２０５，３０１，３０２  光スペクトル
２１００  通信システム
２１１０  送信装置
２１３０  受信装置
２３１０  光アンプ制御部
２４１０  信号強度制御部
２５１０  ＯＡＤＭ装置
２８１０  ＤＯＡＤＭ装置
【図１】
2008139073.tif 000003
【図２】
2008139073.tif 000004
【図３】
2008139073.tif 000005
【図４】
2008139073.tif 000006
【図５】
2008139073.tif 000007
【図６】
2008139073.tif 000008
【図７】
2008139073.tif 000009
【図８】
2008139073.tif 000010
【図９】
2008139073.tif 000011
【図１０】
2008139073.tif 000012
【図１１】
2008139073.tif 000013
【図１２】
2008139073.tif 000014
【図１３】
2008139073.tif 000015
【図１４】
2008139073.tif 000016
【図１５】
2008139073.tif 000017
【図１６】
2008139073.tif 000018
【図１７】
2008139073.tif 000019
【図１８】
2008139073.tif 000020
【図１９】
2008139073.tif 000021
【図２０】
2008139073.tif 000022
【図２１】
2008139073.tif 000023
【図２２】
2008139073.tif 000024
【図２３】
2008139073.tif 000025
【図２４】
2008139073.tif 000026
【図２５】
2008139073.tif 000027
【図２６】
2008139073.tif 000028
【図２７】
2008139073.tif 000029
【図２８】
2008139073.tif 000030